(57)【要約】【課題】放送端末から設置位置に応じた情報を発信することができる放送システムを提供する。【解決手段】異なる位置にそれぞれ固定設置され周囲に情報を発信できる複数の放送端末３と、放送端末３を指揮する管理装置２と、が無線通信網により相互に通信可能に接続されており、放送端末３は、それぞれが設置されている位置情報を取得する位置情報取得手段３４を備え、前記管理装置２は、各放送端末３の識別情報と前記位置情報とを対応付けて管理し、これらを管理者が操作可能な操作画面Ｐ４，Ｐ５上に一覧表示するとともに、管理者の前記操作画面Ｐ４，Ｐ５の操作により指定された放送端末に３対して指示情報を送信する。【選択図】図８
2020161871.tif 000002
【特許請求の範囲】
【請求項１】
異なる位置にそれぞれ固定設置され周囲に情報を発信できる複数の放送端末と、該放送端末を指揮する管理装置と、が無線通信網により相互に通信可能に接続されており、
前記放送端末は、それぞれが設置されている位置情報を取得する位置情報取得手段を備え、
前記管理装置は、各放送端末の識別情報と前記位置情報とを対応付けて管理し、これらを管理者が操作可能な操作画面上に一覧表示するとともに、管理者の前記操作画面の操作により指定された放送端末に対して指示情報を送信することを特徴とする放送システム。
【請求項２】
前記管理装置は、地図データを有しており、前記位置情報を前記地図データ上に選択可能に一覧表示することを特徴とする請求項１に記載の放送システム。
【請求項３】
前記管理装置は、前記地図データ外の前記位置情報を受信したときに、該地図データを前記位置情報の位置まで拡大させて記憶する処理を行うことを特徴とする請求項２に記載の放送システム。
【請求項４】
前記管理装置は、前記指示情報を送信する放送端末を個別に指定する個別選択モードと、前記指示情報を送信するエリアを指定するエリア選択モードと、を有することを特徴とする請求項１ないし３のいずれかに記載の放送システム。
【請求項５】
前記指示情報は、テキストデータを含み、前記放送端末は、前記テキストデータを音声データに変換して放音するスピーカであることを特徴とする請求項１ないし４のいずれかに記載の放送システム。
【発明の詳細な説明】
【技術分野】
【０００１】
本発明は、複数の放送端末から周囲に情報を配信する放送システムに関する。
【背景技術】
【０００２】
従来、ショッピングモールや遊園地などの大型施設には、電光掲示板やスピーカなどの放送端末が各所に固定設置されており、放送端末からイベント情報やマップ情報など利用者に有益な情報を発信する放送システムがある。このような放送システムは、無線通信網を利用して各放送端末が管理装置に接続されて構成されており、該管理装置により放送端末を制御するようになっている。
【０００３】
例えば、特許文献１に示される放送システムは、複数のスピーカが施設内の異なる位置に配置されており、これらのスピーカは管理装置に接続されている。管理者は、スピーカの設置時に該スピーカの識別番号と設置位置を対応付けて管理装置に記憶させ、その記憶させた情報に基づいて管理装置を操作することで、複数のスピーカのうち、音声を出力したい任意のスピーカを選択して音声を出力できるようになっている。
【０００４】
また、特許文献２のように、管理装置と広告ディスプレイ装置などの各放送端末が無線通信により接続され、有線通信に比べて放送端末の設置自由度が高くなっている放送システムもある。
【先行技術文献】
【特許文献】
【０００５】
【特許文献１】特開２００２−１７６６９９号公報（第３頁、第１図）
【特許文献２】特開２０１４−４４６０３号公報（第６頁、第１図）
【発明の概要】
【発明が解決しようとする課題】
【０００６】
特許文献１，２の放送システムにあっては、管理装置が任意の放送端末を選択して任意の放送端末のみから情報を発信したり、各放送端末に異なる情報を発信するなど、放送端末が配置されたエリアに応じた情報を発信できる点で有用である。しかしながら、特許文献１，２の放送システムにあっては、例えば施設の改装などに伴い放送端末の設置位置を変更した場合等には、予め管理装置に記憶されている放送端末の設置位置の情報と、変更された放送端末の設置位置と、が対応せず、放送端末から発信される情報の内容が設置位置に適合しなくなる虞があった。
【０００７】
本発明は、このような問題点に着目してなされたもので、放送端末から設置位置に応じた情報を発信することができる放送システムを提供することを目的とする。
【課題を解決するための手段】
【０００８】
前記課題を解決するために、本発明の放送システムは、
異なる位置にそれぞれ固定設置され周囲に情報を発信できる複数の放送端末と、該放送端末を指揮する管理装置と、が無線通信網により相互に通信可能に接続されており、
前記放送端末は、それぞれが設置されている位置情報を取得する位置情報取得手段を備え、
前記管理装置は、各放送端末の識別情報と前記位置情報とを対応付けて管理し、これらを管理者が操作可能な操作画面上に一覧表示するとともに、管理者の前記操作画面の操作により指定された放送端末に対して指示情報を送信することを特徴としている。
この特徴によれば、位置情報取得手段により取得された放送端末の位置情報は、無線通信網の相互通信を利用して管理装置に送信され、操作画面上に一覧表示されるので、管理者は、操作画面上で各放送端末の位置情報を常に把握しつつ、放送端末に応じた指示情報を送信でき、該指示情報を受信した放送端末から設置位置に応じた情報を発信することができる。
【０００９】
前記管理装置は、地図データを有しており、前記位置情報を前記地図データ上に選択可能に一覧表示することを特徴としている。
この特徴によれば、管理者がどの位置に放送端末があるかを視覚的に容易に把握できる。
【００１０】
前記管理装置は、前記地図データ外の前記位置情報を受信したときに、該地図データを前記位置情報の位置まで拡大させて記憶する処理を行うことを特徴としている。
この特徴によれば、地図データ外に放送端末が増設された場合に、地図データを拡大させて記憶するので、最新の地図データをディスプレイに表示させることができる。
【００１１】
前記管理装置は、前記指示情報を送信する放送端末を個別に指定する個別選択モードと、前記指示情報を送信するエリアを指定するエリア選択モードと、を有することを特徴としている。
この特徴によれば、状況に応じて放送端末を個別またはエリア別に指定して指示情報を送信できるので、動作させる放送端末の指定作業を行いやすい。
【００１２】
前記指示情報は、テキストデータを含み、前記放送端末は、前記テキストデータを音声データに変換して放音するスピーカであることを特徴とする。
この特徴によれば、指示情報が容量の小さいテキストデータであるため、管理装置及び放送端末間の通信速度が速く、迅速な放送を行うことができる。
【図面の簡単な説明】
【００１３】
【図１】本発明の実施例における放送システムを示す概略図である。
【図２】放送システムを示すブロック図である。
【図３】放送端末の構造を示す斜視図である。
【図４】管理装置に記憶される放送端末情報テーブルの一例を示す図である。
【図５】放送端末の情報処理を示すフロー図である。
【図６】非常時情報処理を示すフロー図である。
【図７】（ａ）は表示装置におけるメニュー画面、（ｂ）は詳細設定モード画面、（ｃ）は動作放送端末選択画面を示す図である。
【図８】（ａ）はエリア別選択画面、（ｂ）は個別選択画面を示す図である。
【図９】放送端末を増設した際の管理装置の処理を示す図である。
【発明を実施するための形態】
【００１４】
本発明に係る放送システムを実施するための形態を実施例に基づいて以下に説明する。
【実施例】
【００１５】
実施例に係る放送システムにつき、図１から図９を参照して説明する。尚、ここでいう放送とは、音声や画像などの情報を周囲の利用者に発信することを指す。
【００１６】
図１に示されるように、放送システム１は、例えば、遊園地に設置され、該遊園地内に点在して複数設置される放送端末３，３，…により、来場者に対して種々の情報を発信するものであり、放送端末３，３，…は、管理装置２により一元的に管理されている。尚、本実施例では、放送システム１が利用される場所として遊園地を例示するが、例えば、ショッピングモールや駅構内、災害多発地域など様々な場所で利用してもよい。
【００１７】
図１及び図２に示されるように、放送システム１は、管理装置２と放送端末３，３，…とにより主に構成されている。管理装置２は、遊園地内の管理棟に設置されており、遊園地内の各所に固定的に設置される放送端末３，３，…と無線通信網により相互に通信可能に接続されている。尚、図２は、放送システム１の構成を概略的に示している。
【００１８】
具体的には、管理装置２は、管理コンピュータ２１と、ゲートウェイ装置２２と、から主に構成されている。管理コンピュータ２１は、通信部２１ａと、制御部２１ｂと、記憶部２１ｃと、を備えている。制御部２１ｂには、情報を表示する表示装置２３と、マウスやキーボードといった入力装置（図示略）と、通信部２１ａと、記憶部２１ｃと、が接続されているとともに、通信部２１ａを介してゲートウェイ装置２２と通信可能となっている。尚、通信部２１ａ及びゲートウェイ装置２２、制御部２１ｂ及び記憶部２１ｃは、インターネット網を介して接続されていてもよい。
【００１９】
図１〜図３に示されるように、放送端末３は、通信部３１と、制御部３２と、記憶部３３と、位置情報取得手段としてのＧＰＳ受信機３４と、出力装置としてスピーカ３５及びＬＥＤ照明３６と、バッテリー３８と、から主に構成されている。制御部３２には、上記各種装置が接続されているとともに、外部電源３７に接続されている。制御部３２は、通常時において外部電源３７から電力が供給されており、外部電源３７からの電力供給が停止した場合（停電時等）にはバッテリー３８から電力が供給されるように切り換わるようになっている。通信部３１は、アンテナであり（特に図３参照）、ゲートウェイ装置２２または他の放送端末３の少なくともいずれかとＰ２Ｐ通信を行えるようになっている。
【００２０】
上記のように、各放送端末３の通信部３１がゲートウェイ装置２２または他の放送端末３とＰ２Ｐ通信を行うことにより、管理装置２と放送端末３，３，…とが相互に通信可能な無線通信網が形成されている。具体的には、無線通信網は、各放送端末３，３，…が管理装置２との間の通信を中継するマルチホップ通信を用いたアドホックネットワークであり、専用の基地局を用いずに管理装置２と放送端末３，３，…とが相互に通信可能となっている。
【００２１】
図３に示されるように、放送端末３は、例えば、遊園地内の各所に設置されている外部電源３７としての電柱に対してバンド６を用いて固定されている。放送端末３のスピーカ３５は、指向性の高い所謂ホーンスピーカであり、ＬＥＤ照明３６も蛍光灯などに比べて指向性が高く、かつホーンスピーカの傾斜した内壁により前方に集光されるため、限られたエリアに対して音声出力及び発光出力を行うことができるようになっている。また、放送端末３に電柱から電力を直接供給できるので配線を短くすることができる。
【００２２】
次いで、管理装置２と放送端末３，３，…との相互通信について図１及び図２に基づいて概略的に説明する。尚、ここでは、管理装置２から最も離れた位置にある放送端末（裏ゲートに配置される放送端末）を放送端末３Ａとし、管理装置２と放送端末３Ａとの相互通信のみを説明する。
【００２３】
先ず、放送端末３Ａを新規に設置したときに、放送端末３Ａが設置された位置情報を管理装置２に送信する場合について説明する。
【００２４】
放送端末３Ａが設置して外部電源３７により電力が供給されると、ＧＰＳ受信機３４が動作して放送端末３Ａの位置情報（座標）を取得する。ＧＰＳ受信機３４により取得された位置情報は、制御部３２により自身が所有する個体番号などの識別情報と対応付けられ、記憶部３３に記憶されるとともに、識別情報と対応付けられた位置情報は、通信部３１により送信される。このとき通信部３１は、該通信部３１の通信可能エリアに対して前記位置情報をブロードキャストするようになっている。
【００２５】
前記位置情報は、通信部３１の通信可能エリアに存在する他の放送端末３により受信される。他の放送端末３は、各自の通信可能エリアに対して前記位置情報をブロードキャストする。これにより、前記位置情報は、他の放送端末３を１つまたは複数経由して管理装置２に受信される。図４に示されるように、管理装置２に受信された前記位置情報は、記憶部２１ｃの放送端末情報テーブルＴ１に記憶される。
【００２６】
次いで、管理装置２から放送端末３Ａに指示情報を放送端末３Ａに送信する場合について説明する。尚、指示情報とは、放送端末３に所定の情報を発信させるためのプログラムである。
【００２７】
指示情報は、管理装置２において放送端末情報テーブルＴ１の情報に基づいて作成され、ゲートウェイ装置２２から該ゲートウェイ装置２２の通信可能エリアに対してブロードキャストされる。すなわち、指示情報は、情報発信動作の対象となる放送端末３Ａの位置情報を含んでいる。尚、指示情報に含まれる放送端末３の位置情報は、１つまたは２つ以上の複数であってもよい。
【００２８】
前記指示情報は、ゲートウェイ装置２２の通信可能エリアに存在する他の放送端末３により受信される。他の放送端末３は、各自の通信可能エリアに対して前記指示情報をブロードキャストする。これにより、前記指示情報は、他の放送端末３を１つまたは複数経由して放送端末３Ａに受信される。放送端末３Ａは、前記指示情報に基づいて所定の情報を発信する。
【００２９】
次いで、放送端末３の情報処理のフローの一例を図５に基づいて説明する。
【００３０】
図５に示されるように、放送端末３の制御部３２は、通信部３１が情報を受信したか否かを判断している（ステップＳ１）。ステップＳ１にて通信部３１が情報を受信したと判断された場合には、ステップＳ２に進み、ステップＳ１にて通信部３１が情報を受信していないと判断された場合には、再度ステップＳ１を繰り返す。
【００３１】
ステップＳ２において、制御部３２は通信部３１が受信した情報が後述する非常事態情報か否かを判断し、非常事態情報である場合には、非常事態が発生したとしてステップＳ３に進み、後述する非常時情報処理を行う。一方、非常事態情報でない場合には、ステップＳ４に進む。
【００３２】
ステップＳ４において、制御部３２は通信部３１が受信した情報が管理装置２から送信された指示情報であるか否かを判断し、指示情報である場合には、ステップＳ５に進み、指示情報でない場合には、放送端末３自身または他の放送端末３から送信された位置情報であると判断してステップＳ６に進む。
【００３３】
ステップＳ５において、制御部３２は指示情報に含まれる位置情報が自身に記憶されている位置情報に対応するか否かを判定し、自身の位置情報に対応する場合にはステップＳ７に進み、自身の位置情報に対応しない場合にはステップＳ６に進む。
【００３４】
ステップＳ６において、制御部３２は所定時間内に当該位置情報または当該指示情報を通信可能エリアに向けて送信済みであるか否かを判断し、送信済みである場合にはステップＳ１に戻り上記処理を繰り返し、送信済みでない場合にはステップＳ１１に進み、通信部３１から通信可能エリアに当該位置情報または当該指示情報を送信させ、その後ステップＳ１に戻る。このように、所定時間内に位置情報または指示情報を送信済みである場合には、通信部３１から通信可能エリアに位置情報または指示情報が新たに発信されないので、位置情報または指示情報が繰り返し発信され続けることが防止される。尚、所定時間は、３０分や１時間など適宜自由に変更することができる。
【００３５】
ステップＳ７において、制御部３２は所定時間内に該指示情報が実行済みか否かを判断し、実行済みである場合にはステップＳ１に戻り上記処理を繰り返し、実行済みでない場合にはステップＳ８に進む。このように、実行済みである場合には、指示情報に従ってスピーカ３５及びＬＥＤ照明３６を動作させずにステップＳ１に戻るので、同一の指示情報が何度も繰り返し実行されることが防止される。
【００３６】
ステップＳ８において、制御部３２は前記指示情報にその他の放送端末３の位置情報が含まれているか否かを判断し、その他の放送端末３の位置情報が含まれている場合にはステップＳ９に進み、その他の放送端末３の位置情報が含まれていない場合にはステップＳ１０に進む。ステップＳ９において、制御部３２は前記指示情報を通信部３１から通信可能エリアに送信し、その後ステップＳ１０に進む。このように、指示情報にその他の放送端末３の位置情報（自分以外の位置情報）が含まれている場合には、該指示情報を通信可能エリアに送信するので、指示情報に対応するその他の放送端末３に該指示情報を伝達することができる。
【００３７】
ステップＳ１０において、制御部３２は前記指示情報に従ってスピーカ３５及びＬＥＤ照明３６を動作させるとともに、その後、ステップＳ１に戻って上記処理を繰り返す。このように、指示情報に従って任意の放送端末３のスピーカ３５及びＬＥＤ照明３６を動作させることができるので、任意の放送端末３が設置位置や状況に応じた情報を利用者に発信することができる。
【００３８】
次に、ステップＳ３における非常時情報処理について図６に基づいて説明する。尚、非常事態情報とは、地震や火災などの災害時に管理装置２から送信される情報であり、利用者に避難経路などを伝える情報が含まれる。
【００３９】
図６に示されるように、非常時情報処理において、制御部３２は、先ずステップＳ３１に進み、非常事態情報を通信部３１から通信可能エリアに所定回数送信させ、ステップＳ３２に進む。尚、非常事態情報を通信部３１から通信可能エリアに送信させる回数は、１回または２回以上の複数回であってもよく、自由に変更することができる。
【００４０】
ステップＳ３２において、制御部３２は、非常時情報処理に指示情報が含まれているか否かを判断し、指示情報が含まれている場合にはステップＳ３３に進み、指示情報が含まれていない場合にはステップＳ３４に進む。
【００４１】
ステップＳ３３において、制御部３２は、非常時情報処理の指示情報に含まれる位置情報が自身に記憶されている位置情報に対応するか否かを判定し、自身の位置情報に対応する場合にはステップＳ１０に進み該指示情報に従ってスピーカ３５及びＬＥＤ照明３６を動作させる。一方、自身の位置情報に対応しない場合にはステップＳ３４に進む。
【００４２】
ステップＳ３４において、制御部３２は、予め記憶部３３に記憶された非常時用プログラムに従ってスピーカ３５及びＬＥＤ照明３６を動作させ、その後ステップＳ１に戻る。
【００４３】
このように非常事態時には、受信した非常事態情報を通信可能エリアに所定回数送信させるので（ステップＳ３１）、全ての放送端末３が非常事態情報を受け取ることができる。また、非常事態情報に指示情報を含ませることにより、任意の放送端末３のスピーカ３５及びＬＥＤ照明３６に特定の動作をさせることができる。尚、指示情報に対応しない放送端末３は、予め記憶された非常時用プログラムに従ってスピーカ３５及びＬＥＤ照明３６を動作させることができる。
【００４４】
次に、管理者が管理装置２から放送端末３に対して指示情報を送信する際に管理コンピュータ２１の表示装置２３に表示される画面表示の一例について図７及び図８に基づいて説明する。尚、ここでは、後述する「詳細設定モード１２」を選択する例を説明する。
【００４５】
図７（ａ）は、管理コンピュータ２１の表示装置２３に表示されるメニュー画面Ｐ１を示している。このメニュー画面Ｐ１では、開園モード７、営業モード８、閉園モード９、夜間モード１０、非常事態モード１１、詳細設定モード１２をいずれか１つ選択できるようになっている。
【００４６】
尚、メニュー画面Ｐ１での、開園モード７、営業モード８、閉園モード９、夜間モード１０、非常事態モード１１は、全放送端末３の位置情報が含まれた指示情報であり、該指示情報を受け取った全放送端末３は記憶部３３に予め記憶された各モードのプログラムに従ってスピーカ３５及びＬＥＤ照明３６を動作させるようになっている。
【００４７】
例えば、開園モード７の指示情報を受信した放送端末３は、スピーカ３５により「○○遊園地へようこそ」などの開園時のアナウンスとＬＥＤ照明３６の発光を実行する。また、営業モード８の指示情報を受信した放送端末３は、スピーカ３５によりタイムスケジュールやイベント情報等の営業時のアナウンスとＬＥＤ照明３６の発光を実行する。また、閉園モード９の指示情報を受信した放送端末３は、スピーカ３５により「ご来園ありがとうございました」などの閉園時のアナウンスとＬＥＤ照明３６の発光を実行する。また、夜間モード１０の指示情報を受信した放送端末３は、スピーカ３５やＬＥＤ照明３６をＯＦＦに動作を実行する。非常事態モード１１の指示情報を受信した放送端末３は、スピーカ３５による避難情報のアナウンスやＬＥＤ照明３６の点灯を実行する。
【００４８】
図７（ｂ）に示されるように、「詳細設定モード１２」を選択すると、詳細設定モード画面Ｐ２が表示される。詳細設定モード画面Ｐ２では、スピーカ３５からアナウンスする任意の文言を入力する入力欄４１と、ＬＥＤ照明３６の発光パターンを示す点滅ボタン４２、常灯ボタン４３、ＯＦＦボタン４４と、ＬＥＤ照明３６の発光色を示す白色ボタン４５、赤色ボタン４６と、決定ボタン４７と、戻るボタン４８と、が表示され、管理者が選択可能になっている。尚、詳細設定モード画面Ｐ２では、戻るボタン４８を押すと前記メニュー画面Ｐ１に戻り、任意のボタンを選択した後決定ボタン４７を押すと、動作放送端末選択画面Ｐ３（図７（ｃ）参照）に進む。また、詳細設定モード画面Ｐ２において、管理者がＯＦＦボタン４４を選択すると、白色ボタン４５及び赤色ボタン４６が選択不能となる。尚、発光パターンや発光色の種類は自由に変更することができる。
【００４９】
ここでは、詳細設定モード画面Ｐ２において、入力欄４１に「１４時よりイベント会場にてショーを行います」のテキストを入力し、点滅ボタン４２及び白色ボタン４５を選択する例を説明する。
【００５０】
詳細設定モード画面Ｐ２において、入力欄４１に上記テキストを入力し、点滅ボタン４２及び白色ボタン４５を選択し、決定ボタン４７を押すと、図７（ｃ）に示されるように、動作放送端末選択画面Ｐ３に進む。動作放送端末選択画面Ｐ３では、全放送端末ボタン５０と、エリア別ボタン５１と、個別ボタン５２と、決定ボタン５３と、戻るボタン５４と、が表示される。
【００５１】
動作放送端末選択画面Ｐ３において、全放送端末ボタン５０を選択し決定ボタン５３を押すと、詳細設定モード画面Ｐ２で設定した指示情報が放送端末３に向けて送信される。このとき、管理装置２は、全放送端末３の位置情報を含む指示情報を送信する。したがって、指示情報を受け取った全放送端末３は、入力欄４１に入力されたテキストデータを音声データに変換してスピーカ３５から「１４時よりイベント会場にてショーを行います」というアナウンスを行うとともに、ＬＥＤ照明３６を白色で点滅させる。
【００５２】
また、動作放送端末選択画面Ｐ３において、エリア別ボタン５１を選択し決定ボタン５３を押すとエリア別選択画面Ｐ４（図８（ａ）参照）に進む。一方、動作放送端末選択画面Ｐ３において、個別ボタン５２を選択し決定ボタン５３を押すと個別選択画面Ｐ５（図８（ｂ）参照）に進む。尚、動作放送端末選択画面Ｐ３において戻るボタン５４を押すと、前記詳細設定モード画面Ｐ２に戻る。
【００５３】
図８（ａ）に示されるように、エリア別選択画面Ｐ４では、管理コンピュータ２１における記憶部２１ｃ内に予め記憶された地図データＤと、決定ボタン５５と、戻るボタン５６と、を表示する。この地図データＤは、アトラクションエリアＡ１、レストランエリアＡ２、イベントエリアＡ３、正面ゲートエリアＡ４、第１駐車場エリアＡ５、第２駐車場エリアＡ６に区画されており、それぞれのエリアＡ１〜Ａ６を選択可能となっている。また、エリア別選択画面Ｐ４における地図データＤには、記憶部２１ｃの放送端末情報テーブルＴ１に記憶された各放送端末３の位置情報に基づいて、各放送端末３の座標が選択不能に地図データＤ上に表示される。
【００５４】
エリア別選択画面Ｐ４において、管理者が任意のエリアを選択し決定ボタン５５を押すと、管理装置２は、選択されたエリア内に存在する放送端末３の位置情報を含む指示情報を作成し送信する。選択されたエリア内に存在する放送端末３が指示情報を受け取ると、該放送端末３が入力欄４１に入力されたテキストデータを音声データに変換してスピーカ３５から「１４時よりイベント会場にてショーを行います」というアナウンスを行うとともに、ＬＥＤ照明３６を白色で点滅させる。尚、エリア別選択画面Ｐ４において、管理者は１つまたは複数のエリアを選択できる。さらに尚、エリア別選択画面Ｐ４において戻るボタン５６を押すと、前記動作放送端末選択画面Ｐ３に戻る。
【００５５】
図８（ｂ）に示されるように、個別選択画面Ｐ５では、管理コンピュータ２１における記憶部２１ｃ内に予め記憶された地図データＤと、決定ボタン５７と、戻るボタン５８と、を表示する。この地図データＤには、記憶部２１ｃの放送端末情報テーブルＴ１に記憶された各放送端末３の位置情報に基づいて、各放送端末３の座標が選択可能に地図データＤ上に表示される。また、地図データＤは、アトラクションエリアＡ１、レストランエリアＡ２、イベントエリアＡ３、正面ゲートエリアＡ４、第１駐車場エリアＡ５、第２駐車場エリアＡ６が選択不能に区画されて表示されている。
【００５６】
個別選択画面Ｐ５において、管理者が任意の放送端末３を選択し決定ボタン５７を押すと、管理装置２は、選択された放送端末３の位置情報を含む指示情報を作成し送信する。選択された放送端末３が指示情報を受け取ると、入力欄４１に入力されたテキストデータを音声データに変換してスピーカ３５から「１４時よりイベント会場にてショーを行います」というアナウンスを行うとともに、ＬＥＤ照明３６を白色で点滅させる。尚、個別選択画面Ｐ５において、管理者は１つまたは複数の放送端末３を選択できる。さらに尚、個別選択画面Ｐ５において戻るボタン５８を押すと、前記動作放送端末選択画面Ｐ３に戻る。
【００５７】
次いで、地図データＤの外側に放送端末３Ｂを増設した際の管理装置２の処理について図９に基づいて説明する。
【００５８】
図９に示されるように、地図データＤの外側に放送端末３Ｂを増設した際には、放送端末３Ｂから位置情報が管理装置２に対して送信される。放送端末３Ｂの位置情報を受け取った管理装置２は、地図データＤと位置情報とを照合し、地図データＤの外側に放送端末３Ｂが増設されたことを判断する。管理装置２は、地図データＤの外側に放送端末３Ｂが増設されたことを判断した際には、該位置情報の位置まで地図データＤを拡大させた地図データＤ’を作成し記憶する。具体的には、地図データＤに新規エリアＡ７が追加された地図データＤ’を作成して記憶するようになっている。尚、地図データＤ’の新規エリアＡ７の名称は、管理コンピュータ２１により任意の名称に変更することができる。
【００５９】
以上、説明したように、各放送端末３は、設置された位置情報を取得するＧＰＳ受信機３４を備え、ＧＰＳ受信機３４により取得した位置情報を自分の記憶部３３に記憶するとともに無線通信網の相互通信を利用して管理装置２に送信し、管理装置２は、各放送端末３から受信した位置情報をそれぞれ記憶部２１ｃに記憶する。したがって、放送端末３の位置変更や増設などをするときに、管理装置２に放送端末３の位置情報を手動で記憶させる必要がない。
【００６０】
また、位置情報を受信した管理装置２は、その情報を表示装置２３に一覧表示させるので、管理者は、表示装置２３上で各放送端末３の位置情報を把握しつつ、放送端末３に応じた指示情報を作成でき、該指示情報を受信した放送端末３が設置位置に応じた情報を発信することができる。
【００６１】
ここで、放送システム１を用いて任意の放送端末３を動作させる使用例を図１に基づいて説明する。
【００６２】
使用例１としては、アトラクションエリアに存在する２つの放送端末３から各放送端末３に近いアトラクションの待ち時間情報をそれぞれアナウンスさせることができる。具体的には、図１の東側の放送端末３からは「ジェットコースターの待ち時間は１時間です。」というアナウンスとＬＥＤ照明３６の点滅が行われる。一方、図１の紙面西側の放送端末３からは「観覧車の待ち時間は１５分です。」というアナウンスとＬＥＤ照明３６の点滅が行われる。これによれば、利用者に各アトラクションの待ち時間とアトラクションの位置をスピーカ３５及びＬＥＤ照明３６により知らせることにより、待ち時間の少ないアトラクションに利用者を誘導することができる。
【００６３】
使用例２としては、非常事態時において、アトラクションエリアに存在する２つの放送端末３から近い出口である裏ゲートへの避難経路をアナウンスできる。具体的には、図１の紙面東側の放送端末３からは「ここから北西方向へ向かってください。」というアナウンスとＬＥＤ照明３６の点滅が行われる。図１の紙面西側の放送端末３からは「ここから北東方向へ向かってください。」というアナウンスとＬＥＤ照明３６の点滅が行われる。これによれば、利用者のいる位置に応じた避難経路をアナウンスできるので、利用者を混乱させることなく、出口に誘導することができる。また、利用者は点滅するＬＥＤ照明３６を目印とすることができる。
【００６４】
また、前述のように、各放送端末３のスピーカ３５及びＬＥＤ照明３６は、指向性が高く、限られたエリアに対して音声出力及び発光出力を行うことができるようになっているので、利用者のいる位置に応じたアナウンスや発光などの情報発信を高い精度で行うことができる。
【００６５】
また、管理装置２及び各放送端末３を相互通信可能に接続する無線通信網は、マルチホップ通信を用いたアドホックネットワークであり、専用の基地局を用いずに管理装置２と放送端末３，３，…とが相互に通信可能となっている。これによれば、管理装置２の通信可能エリア外の放送端末３であっても、他の放送端末３が中継器として機能して管理装置２と相互に通信可能となるため、専用の基地局を設けることなく低コストで広範囲を通信可能とすることができる。また、管理装置２と放送端末３、または放送端末３同士が直接通信するので、インターネット網を介して通信することに比べて通信速度が速い。
【００６６】
また、管理装置２は、該管理装置２の通信可能エリアに前記指示情報をブロードキャストし、該指示情報を受け取った放送端末３は、自身が記憶する位置情報と、前記指示情報に含まれる任意の位置情報と、が一致するか否かを判定し、一致した場合に該指示情報に基づいて動作を行い、一致しない場合に該放送端末の通信可能エリアに該指示情報をブロードキャストする（特に、図５，６参照）。これによれば、管理装置２と各放送端末３との間のリレールートを予め設定しなくてよいので、該放送端末３に指示情報を送信するための処理が簡便である。また、任意の放送端末３に対して複数のリレールートが存在することから、特定の放送端末３が故障しても他の放送端末３を経由して任意の放送端末３に指示情報を伝達することができる。
【００６７】
また、各放送端末３は、位置情報もブロードキャストするので、位置情報を管理装置２に伝達するためのリレールートを予め設定しなくてよいので、該放送端末３に位置情報を送信するための処理が簡便である。
【００６８】
また、管理装置２は、地図データＤを有しており、放送端末３の位置情報を地図データＤ上に選択可能に書き込んで表示装置２３に表示するようになっている（特に図８参照）。これによれば、管理者がどの位置に放送端末３が存在しているかを把握しやすい。例えば、区画した各エリアＡ１〜Ａ６にそれぞれ何個ずつ放送端末３が存在しているか、または任意の放送端末３がどのエリアＡ１〜Ａ６に配置されているかなどを把握しやすい。
【００６９】
また、管理装置２は、地図データＤ外に放送端末３Ｂを設置したとき（地図データＤ外の位置情報を受信したとき）に、地図データＤを放送端末３Ｂの位置（放送端末３Ｂの位置情報）まで拡大させた地図データＤ’を作成し、該地図データＤ’を記憶する処理を行う。これにより、地図データを常に最新として表示装置２３に表示させることができるので、管理者が指示情報の作成や送信先指定などのときに使いやすい。
【００７０】
また、前記指示情報は、容量の小さいテキストデータ（例えば、入力欄４１に記入されたテキスト）を含み、放送端末３は、前記テキストデータを音声データに変換して放音するスピーカ３５であるので、管理装置及び放送端末間の指示情報の通信速度を高速にできる。
【００７１】
また、管理装置２は、前記指示情報を送信する放送端末３を個別に指定する個別選択モード（図８（ｂ）参照）と、前記指示情報を送信するエリアを指定するエリア選択モード（図８（ａ）参照）と、を有する。これによれば、状況に応じて放送端末３を個別またはエリア別に指定して指示情報を送信できるので、動作させる任意の放送端末３の指定作業を行いやすい。
【００７２】
また、本実施例の放送端末３は、所定時間ごと正常に動作していることを示す正常動作信号を管理装置２に送信するようになっている。これによれば、各放送端末３が正常に動作していることを管理装置２が判断できる。言い換えれば、管理装置２は、所定時間以内に放送端末３から正常動作信号を受信しない場合には、その放送端末３が故障したと判断することができ、例えば、表示装置２３にエラーメッセージなどを表示することができる。尚、放送端末３は、管理装置２の応答要求信号に応じて正常動作信号を送信するようになっていてもよい。
【００７３】
以上、本発明の実施例を図面により説明してきたが、具体的な構成はこれら実施例に限られるものではなく、本発明の要旨を逸脱しない範囲における変更や追加があっても本発明に含まれる。
【００７４】
例えば、前記実施例では、地図データＤ上に各放送端末３の位置情報を書き込んで表示装置２３に表示する形態を例示したが、例えば、放送端末情報テーブルＴ１のような一覧表を表示装置２３に表示するようになっていてもよい。
【００７５】
また、前記実施例では、管理装置２及び各放送端末３が自分の通信可能エリアに情報をブロードキャストする形態を例示したが、管理装置２と各放送端末３とのリレールートを予め設定しておき、該リレールートを通じて管理装置２と各放送端末３とが相互通信するようになっていてもよい。
【００７６】
また、前記実施例では、管理者は管理装置２の管理コンピュータ２１を操作して指示情報を作成する形態を例示したが、管理者は形態するタブレット端末などから管理装置２にアクセスして指示情報を作成するようになっていてもよい。この場合、タブレット端末も操作画面として機能し、管理装置２の一部に含まれる。尚、タブレット端末はインターネット網を通じて管理装置２にアクセスできるようになっていてもよいし、Ｐ２Ｐ通信により管理装置２にアクセスできるようになっていてもよい。
【００７７】
また、前記実施例では、位置情報取得手段としてＧＰＳ受信機３４を例に挙げ説明したが、予め施設内に配置された位置情報を示す識別タグを読み取るセンサーなどであってもよい。
【００７８】
また、前記実施例では、放送端末３がスピーカ３５及びＬＥＤ照明３６を備えている形態を例示したが、利用者に対して所定の情報を発信できるものであればよく、テキストデータや動画などを表示するディスプレイなどあってもよい。また、例えば、放送端末３はプロジェクタを備え、壁や地面に、警告、案内、広告等を投影表示するようになっていてもよい。
【００７９】
また、前記実施例では、詳細設定モード画面Ｐ２において、入力欄４１にテキストを入力して任意の放送端末３に指示情報を送信する形態を例示したが、予め放送端末３に音声態様、発光態様等を数パターン記録しておき、管理者は放送するパターン指定情報を含む指示情報（トリガー）を作成し、放送端末３はその指示情報に応じて放送を行うようになっていてもよい。
【００８０】
また、放送端末３は、自動または手動でコントロール可能な首振り機能を有し、コントロールされた方向に放送を行うことができるようになっていてもよい。この場合、スピーカ３５及びＬＥＤ照明３６が別々に首振りできるようになっていてもよい。
【００８１】
また、放送端末３は、ＬＥＤ照明３６から発せられる光をスピーカ３５から発せられる音声に合わせて点滅するように連動させてもよい。これにより、利用者に放送内容に興味を持たせることができる。
【００８２】
また、放送端末３は、他の放送端末３と連動して放送を行うようになっていてもよい。これによれば、放送端末３同士が対話するように放送を行うことができ、利用者に放送内容に興味を持たせることができる。
【００８３】
また、放送端末３は、タイマー機能を有し、時間帯や季節等に応じて自動的に放送内容が変化するようになっていてもよい。
【００８４】
また、放送端末３は、所定のセンサーを有し、センサーが検知した情報に基づいてそれをトリガーとして自動的にあらかじめ記憶させたプログラムに従って放送を行う機能を有していてもよい。
【００８５】
例えば、放送端末３は、集音マイクを有し、周囲の音量によって、スピーカ３５から発せられる音声の音量を適正な音量に変更されるようになっていてもよい。また、例えば、放送端末３は、ビーコンセンサーを検知する検知手段を有し、ビーコンセンサーを持った人や物体等が放送端末３に近づくことで、放送端末３がそれを認識し、そのビーコンセンサー等を持った人や物体等に対して所定の放送を行うようになっていてもよい。また、例えば、放送端末３は、気温、湿度、風速等を認識するセンサーを有し、その情報に基づいて所定の放送を行うようになっていてもよい。
【符号の説明】
【００８６】
１                放送システム
２                管理装置
３，３Ａ，３Ｂ    放送端末
２３              表示装置
３４              ＧＰＳ受信機（位置情報取得手段）
３５              スピーカ
３６              ＬＥＤ照明
Ｄ，Ｄ’          地図データ
Ｐ１              メニュー画面
Ｐ２              詳細設定モード画面
Ｐ３              動作放送端末選択画面
Ｐ４              エリア別選択画面（操作画面）
Ｐ５              個別選択画面（操作画面）
【図１】
2020161871.tif 000003
【図２】
2020161871.tif 000004
【図３】
2020161871.tif 000005
【図４】
2020161871.tif 000006
【図５】
2020161871.tif 000007
【図６】
2020161871.tif 000008
【図７】
2020161871.tif 000009
【図８】
2020161871.tif 000010
【図９】
2020161871.tif 000011